(57)【要約】【課題】通過路を形成する壁の相対位置関係が変わらない場合と比して、収容部へ補給されるトナーが通過路で固着するのを抑制することができるトナー搬送機構、現像器、及び画像形成装置を得る。【解決手段】搬送体は、収容部の現像剤の剤面が閾値高さ以上の場合に現像剤を搬送して補給口に滞留させ、剤面が閾値高さ未満の場合に通過路のトナーを収容部に搬送する。さらに、接離部は、通過路を形成している一方の壁を他方の壁に対して接近、離間させる。【選択図】図１
2019045821.tif 000002
【特許請求の範囲】
【請求項１】
下方にトナーの補給口があり、トナーが通過する通過路を形成している水平方向に対向した一対の壁と、
該補給口からトナーが補給され、現像剤を収容する収容部と、
該収容部の現像剤の剤面が閾値高さ以上の場合に該現像剤を搬送して該補給口に滞留させ、該剤面が閾値高さ未満の場合に該通過路のトナーを該収容部に搬送する搬送体と、
一方の該壁を他方の該壁に対して接近、離間させる接離部と、
を備える現像器。
【請求項２】
前記搬送体は、前記補給口に対向して配置され、軸周りに回転することでトナーを搬送し、
前記接離部は、前記搬送体の回転力を一方の前記壁に伝達することで、一方の前記壁を他方の前記壁に対して接近、離間させる請求項１項に記載の現像器。
【請求項３】
前記搬送体は、前記補給口に対向して配置され、軸周りに回転することでトナーを搬送し、
前記軸は水平方向に延びており、
前記搬送体と前記収容部との間には、前記収容部に搬送されるトナーが通る通路が形成されており、
一方の前記壁は、前記搬送体の軸方向から見て、水平方向において、前記搬送体の回転中心に対して前記通路側に配置され、他の前記壁は、水平方向において、前記回転中心に対して前記通路側とは反対側に配置されている請求項１又は２に記載の現像器。
【請求項４】
前記接離部は、一方の前記壁の一部が他方の前記壁に接近すると、一方の前記壁の他の一部が他方の前記壁から離間するように一方の前記壁を移動させる請求項１から３の何れか１項に記載の現像器。
【請求項５】
一方の前記壁を揺動可能に支持する揺動軸を備え、
前記接離部は、前記揺動軸を中心に一方の前記壁を一方向及び他方に回転させる請求項４に記載の現像器。
【請求項６】
前記搬送体は、前記補給口に対向して配置され、軸周りに回転することでトナーを搬送し、
前記接離部は、一方の前記壁が前記揺動軸を中心に一方向に回転するように一方の前記壁を付勢する付勢部材を備え、かつ、前記搬送体の回転力を、一方の前記壁が前記揺動軸を中心に他方向に回転する回転力として、一方の前記壁に間欠的に伝達する請求項５に記載の現像器。
【請求項７】
前記通過路は、前記補給口の反対側にトナーを受け入れる受入口を有し、
前記受入口を形成すると共に、一方の前記壁と同様の方向を向く受入壁は、上方から見て、一方の前記壁と比して他方の前記壁側に配置されている請求項１から６の何れか１項に記載の現像器。
【請求項８】
像保持体と、
前記像保持体に形成された静電潜像をトナー画像として現像する請求項１から７の何れか１項に記載の現像器と、
前記像保持体上のトナー画像を記録媒体に転写する転写体と、
を備える画像形成装置。
【請求項９】
下方にトナーを搬送する第一搬送体があり、トナーが通過する通過路を形成している水平方向に対向した一対の壁と、
該通過路の上方に配置され、該通過路に向けてトナーを搬送する第二搬送体と、
一方の該壁を他方の該壁に対して接近、離間させる接離部と、を備え、
該第二搬送体による単位時間当たりのトナーの搬送能力が、該第一搬送体による単位時間当たりのトナーの搬送能力と比して大きいトナー搬送機構。
【請求項１０】
下方にトナーを搬送する第一搬送体と、該第一搬送体によって搬送されるトナーが通過する通過出口とがあり、トナーが通過する通過路を形成している水平方向に対向した一対の壁と、
該通過路にトナーを受け入れる通過入口の上方に配置され、該通過路に向けてトナーを搬送する第二搬送体と、
一方の該壁を他方の該壁に対して接近、離間させる接離部と、を備え、
該第一搬送体及び該第二搬送体が稼動している状態で、該通過入口での単位時間当たりのトナー通過量が、該通過出口での単位時間当たりのトナー通過量よりも大きいトナー搬送機構。
【請求項１１】
下方にトナーを搬送する第一搬送体と、該第一搬送体によって搬送されるトナーが通過する通過出口とがあり、トナーが通過する通過路を形成している水平方向に対向した一対の壁と、
該通過路にトナーを受け入れる通過入口の上方に配置され、該通過路に向けてトナーを搬送する第二搬送体と、
一方の該壁を他方の該壁に対して接近、離間させる接離部と、を備え、
該通過入口においてトナーが通過する断面積は、該通過出口においてトナーが通過する断面積よりも大きいトナー搬送機構。
【発明の詳細な説明】
【技術分野】
【０００１】
本発明は、トナー搬送機構、現像器、及び画像形成装置に関する。
【背景技術】
【０００２】
特許文献１に記載のトナーカートリッジは、トナー貯蔵部と、トナーを現像装置へ補給するトナー補給口部と、貯蔵部内のトナーを補給口部へ搬送するトナー搬送スクリュー部と、貯蔵部内のトナーの状態を変動させるトナー状態可変部材とを有している。そして、トナーカートリッジでは、トナー搬送スクリューの回転に伴って振動することで貯蔵部内のトナーの状態が変動するようになっている。
【先行技術文献】
【特許文献】
【０００３】
【特許文献１】特開２００６−２３５２５５号公報
【発明の概要】
【発明が解決しようとする課題】
【０００４】
現像器は、トナーとキャリアとを含む現像剤を内部に収容する収容部を備えている。そして、この収容部に収容された現像剤の上方には、トナーを収容部に補給するための補給口が配置されている。この補給口は、収容部に補給されるトナーが通過する通過路の下方に形成されている。
【０００５】
また、自律的に現像剤の剤面の高さが調整される現像器では、収容部内において補給口と対向する位置に、回転する円柱状の搬送体が配置されている。収容部に収容されている現像剤の剤面が閾値高さ以上の場合に、回転する搬送体が現像剤を搬送して補給口に滞留させることで、補給口からのトナーの補給を停止させる。一方、収容部に収容されている現像剤の剤面が閾値高さ未満の場合には、回転する搬送体がトナーを補給口から収容部に搬送する。
【０００６】
ここで、収容部に収容される現像剤の剤面が閾値高さ以上で、現像剤が補給口に滞留している状態では、トナーが通過する通過路でもトナーが滞留する。そして、通過路で滞留したトナーが、通過路で固着してしまうことがある。
【０００７】
本発明の課題は、通過路を形成する壁の相対位置関係が変わらない場合と比して、トナーが通過路で固着するのを抑制することである。
【課題を解決するための手段】
【０００８】
本発明の請求項１に係る現像器は、下方にトナーの補給口があり、トナーが通過する通過路を形成している水平方向に対向した一対の壁と、該補給口からトナーが補給され、現像剤を収容する収容部と、該収容部の現像剤の剤面が閾値高さ以上の場合に該現像剤を搬送して該補給口に滞留させ、該剤面が閾値高さ未満の場合に該通過路のトナーを該収容部に搬送する搬送体と、一方の該壁を他方の該壁に対して接近、離間させる接離部と、を備えることを特徴とする。
【０００９】
本発明の請求項２に係る現像器は、請求項１に記載の現像器において、前記搬送体は、前記補給口に対向して配置され、軸周りに回転することでトナーを搬送し、前記接離部は、前記搬送体の回転力を一方の前記壁に伝達することで、一方の前記壁を他方の前記壁に対して接近、離間させることを特徴とする。
【００１０】
本発明の請求項３に係る現像器は、請求項１又は２に記載の現像器において、前記搬送体は、前記補給口に対向して配置され、軸周りに回転することでトナーを搬送し、前記軸は水平方向に延びており、前記搬送体と前記収容部との間には、前記収容部に搬送されるトナーが通る通路が形成されており、一方の前記壁は、前記搬送体の軸方向から見て、水平方向において、前記搬送体の回転中心に対して前記通路側に配置され、他の前記壁は、水平方向において、前記回転中心に対して前記通路側とは反対側に配置されていることを特徴とする。
【００１１】
本発明の請求項４に係る現像器は、請求項１から３の何れか１項に記載の現像器において、前記接離部は、一方の前記壁の一部が他方の前記壁に接近すると、一方の前記壁の他の一部が他方の前記壁から離間するように一方の前記壁を移動させることを特徴とする。
【００１２】
本発明の請求項５に係る現像器は、請求項４に記載の現像器において、一方の前記壁を揺動可能に支持する揺動軸を備え、前記接離部は、前記揺動軸を中心に一方の前記壁を一方向及び他方に回転させることを特徴とする。
【００１３】
本発明の請求項６に係る現像器は、請求項５に記載の現像器において、前記搬送体は、前記補給口に対向して配置され、軸周りに回転することでトナーを搬送し、前記接離部は、一方の前記壁が前記揺動軸を中心に一方向に回転するように一方の前記壁を付勢する付勢部材を備え、かつ、前記搬送体の回転力を、一方の前記壁が前記揺動軸を中心に他方向に回転する回転力として、一方の前記壁に間欠的に伝達することを特徴とする。
【００１４】
本発明の請求項７に係る現像器は、請求項１から６の何れか１項に記載の現像器において、前記通過路は、前記補給口の反対側にトナーを受け入れる受入口を有し、
【００１５】
前記受入口を形成すると共に、一方の前記壁と同様の方向を向く受入壁は、上方から見て、一方の前記壁と比して他方の前記壁側に配置されていることを特徴とする。
【００１６】
本発明の請求項８に係る画像形成装置は、像保持体と、前記像保持体に形成された静電潜像をトナー画像として現像する請求項１から７の何れか１項に記載の現像器と、前記像保持体上のトナー画像を記録媒体に転写する転写体と、を備えることを特徴とする。
【００１７】
本発明の請求項９に係るトナー搬送機構は、下方にトナーを搬送する第一搬送体があり、トナーが通過する通過路を形成している水平方向に対向した一対の壁と、該通過路の上方に配置され、該通過路に向けてトナーを搬送する第二搬送体と、一方の該壁を他方の該壁に対して接近、離間させる接離部と、を備え、該第二搬送体による単位時間当たりのトナーの搬送能力が該第一搬送体による単位時間当たりのトナーの搬送能力と比して大きいことを特徴とする
【００１８】
本発明の請求項１０に係るトナー搬送機構は、下方にトナーを搬送する第一搬送体と、該第一搬送体によって搬送されるトナーが通過する通過出口とがあり、トナーが通過する通過路を形成している水平方向に対向した一対の壁と、該通過路にトナーを受け入れる通過入口の上方に配置され、該通過路に向けてトナーを搬送する第二搬送体と、一方の該壁を他方の該壁に対して接近、離間させる接離部と、を備え、該通過入口での単位時間当たりのトナー通過量が、該通過出口での単位時間当たりのトナー通過量よりも大きいことを特徴とする。
【００１９】
本発明の請求項１１に係るトナー搬送機構は、下方にトナーを搬送する第一搬送体と、該第一搬送体によって搬送されるトナーが通過する通過出口とがあり、トナーが通過する通過路を形成している水平方向に対向した一対の壁と、該通過路にトナーを受け入れる通過入口の上方に配置され、該通過路に向けてトナーを搬送する第二搬送体と、一方の該壁を他方の該壁に対して接近、離間させる接離部と、を備え、該通過入口においてトナーが通過する断面積は、該通過出口においてトナーが通過する断面積よりも大きいことを特徴とする。
【発明の効果】
【００２０】
本発明の請求項１の現像器によれば、通過路を形成する壁の相対位置関係が変わらない場合と比して、収容部へ補給されるトナーが通過路で固着するのを抑制することができる。
【００２１】
本発明の請求項２の現像器によれば、一方の壁を他方の壁に対して接近、離間させるための専用の駆動源を用いる場合と比して、部品点数を削減することができる。
【００２２】
本発明の請求項３の現像器によれば、一方の壁が通路側とは反対側に配置されており、他方の壁が通路側に配置されている場合と比して、搬送体によって搬送されるトナーが、通路で詰まってしまうのを抑制することができる。
【００２３】
本発明の請求項４の現像器によれば、一方の壁全体が他方の壁に接近し、一方の壁全体が他方の壁から離間する場合と比して、通過路に固着したトナーを崩すことができる。
【００２４】
本発明の請求項５の現像器によれば、一方の壁の一部が他方の壁に接近すると、一方の壁の他の一部が他方の壁から離間するように一方の壁を分割する場合と比して、一方の壁の一部が他方の壁に接近すると、一方の壁の他の一部が他方の壁から離間する構成を簡略化することができる。
【００２５】
本発明の請求項６の現像器によれば、搬送部材の回転力だけで一方の壁を揺動させる場合と比して、一方の壁を揺動させる構成を簡略化することができる。
【００２６】
本発明の請求項７の現像器によれば、一方の壁が、上方から見て、受入壁に対して他方の壁側に配置されている場合と比して、受入口から受け入れたトナーが、一方の壁の裏面に流れ込むのを抑制することができる。
【００２７】
本発明の請求項８の画像形成装置によれば、請求項１から７の何れか１項に記載の現像器を備えていない場合と比して、出力画像の品質低下を抑制することができる。
【００２８】
本発明の請求項９のトナー搬送機構によれば、通過路を形成する壁の相対位置関係が変わらない場合と比して、トナーが通過路で固着するのを抑制することができる。
【００２９】
本発明の請求項１０のトナー搬送機構によれば、通過路を形成する壁の相対位置関係が変わらない場合と比して、トナーが通過路で固着するのを抑制することができる。
【００３０】
本発明の請求項１１のトナー搬送機構によれば、通過路を形成する壁の相対位置関係が変わらない場合と比して、トナーが通過路で固着するのを抑制することができる。
【図面の簡単な説明】
【００３１】
【図１】（Ａ）（Ｂ）（Ｃ）本発明の第１実施形態に係る現像器の揺動部材の動作を示した動作図である。
【図２】（Ａ）（Ｂ）（Ｃ）本発明の第１実施形態に係る現像器の磁性ロールの近傍を示した断面図である。
【図３】（Ａ）（Ｂ）（Ｃ）本発明の第１実施形態に係る現像器の磁性ロールの近傍を示した断面図である。
【図４】本発明の第１実施形態に係る現像器の揺動部材を示した斜視図である。
【図５】本発明の第１実施形態に係る現像器の通過路を示した断面図である。
【図６】本発明の第１実施形態に係る現像器の通過路、及び磁性ロール近傍を示した断面図である。
【図７】本発明の第１実施形態に係る現像器の補給路、及び撹拌路近傍を示した平面図である。
【図８】本発明の第１実施形態に係る現像器の揺動部材、付勢バネ、及び磁性ロール等を示した斜視図である。
【図９】本発明の第１実施形態に対する現像器の磁性ロールを示した斜視図である。
【図１０】本発明の第１実施形態に係る現像器の揺動部材、付勢バネ、及び磁性ロール等を示した断面図である。
【図１１】本発明の第１実施形態に係る現像器を示した断面図である。
【図１２】本発明の第１実施形態に係る画像形成装置を示した概略構成図である。
【図１３】（Ａ）（Ｂ）（Ｃ）本発明の第１実施形態の現像器に対する比較形態に係る現像器の磁性ロールの近傍を示した断面図である。
【図１４】（Ａ）（Ｂ）（Ｃ）本発明の第１実施形態の現像器に対する比較形態に係る現像器の磁性ロールの近傍を示した断面図である。
【図１５】本発明の第１実施形態の現像器に対する比較形態に係る現像器を示した断面図である。
【図１６】（Ａ）（Ｂ）本発明の第２実施形態に係る現像器の揺動部材を示した斜視図、及び側面図である。
【図１７】（Ａ）（Ｂ）本発明の第３実施形態に係る現像器の揺動部材を示した斜視図、及び平面図である。
【発明を実施するための形態】
【００３２】
＜第１実施形態＞
本発明の第１実施形態に係る現像器、及び画像形成装置の一例を図１〜図１５に従って説明する。なお、各図に示す矢印Ｈは、鉛直方向であって装置上下方向を示し、矢印Ｗは、水平方向であって装置幅方向を示し、矢印Ｄは、水平方向であって装置奥行方向を示す。
【００３３】
（全体構成）
画像形成装置１０は、図１２に示されるように、各構成部品が内部に収容される装置本体１０Ａを備えている。装置本体１０Ａの内部には、記録媒体としてのシート部材Ｐが収容される収容部１２と、収容部１２に収容されたシート部材Ｐを搬送する搬送部１６と、搬送されるシート部材Ｐにトナー画像を形成する画像形成部１４とが配置されている。さらに、装置本体１０Ａの内部には、画像形成部１４によってシート部材Ｐに形成されたトナー画像をシート部材Ｐに定着させる定着部１８と、画像形成装置１０の各部の動作を制御する制御部２０とが配置されている。
【００３４】
また、装置本体１０Ａの上部には、定着部１８によって画像（トナー画像）が定着されたシート部材Ｐが排出される排出部２２が形成されている。
【００３５】
〔画像形成部〕
画像形成部１４は、装置本体１０Ａ内の上下方向の中央側に配置されている。そして、この画像形成部１４は、画像を保持する像保持体２４と、像保持体２４を帯電させる帯電ロール２６と、帯電ロール２６によって帯電した像保持体２４を露光して像保持体２４に静電潜像を形成する露光装置３０とを備えている。さらに、画像形成部１４は、像保持体２４の静電潜像をトナーＴとキャリアとを含む現像剤Ｇによってトナー画像に現像する現像器３２と、現像器３２に補給されるトナーＴを収容するトナーカートリッジ３６と備えている。また、画像形成部１４は、搬送されるシート部材Ｐに、像保持体２４上のトナー画像を転写する転写ロール３４を備えている。
【００３６】
なお、現像器３２、及びトナーカートリッジ３６については、詳細を後述する。
【００３７】
〔収容部〕
収容部１２は、画像形成部１４の下方に配置されている。そして、収容部１２は、シート部材Ｐが積載される積載部材１２Ａと、積載部材１２Ａに積載された最上位のシート部材Ｐを送出する送出ロール１２Ｂとを備えている。
【００３８】
〔搬送部〕
搬送部１６は、送出ロール１２Ｂによって送り出されたシート部材Ｐを、シート部材Ｐを搬送する搬送経路２８に沿って搬送する複数の搬送ロール（符号省略）を備えている。
【００３９】
〔定着部〕
定着部１８は、画像形成部１４の側方に配置されている。そして、定着部１８は、シート部材Ｐに転写されたトナー画像を加熱する加熱ロール１８Ａと、加熱ロール１８Ａと接触して従動回転（周回）することで加熱ロール１８Ａとの間でシート部材Ｐを挟みながら搬送する加圧ロール１８Ｂとを備えている。
【００４０】
（全体構成の作用）
次に、画像をシート部材Ｐに形成する画像形成動作について説明する。
【００４１】
積載部材１２Ａから送出ロール１２Ｂによって送り出されたシート部材Ｐが、像保持体２４と転写ロール３４との間に形成された転写位置Ｔへ搬送される。
【００４２】
一方、画像形成部１４では、像保持体２４が帯電ロール２６によって帯電した後、露光装置３０によって露光されて、像保持体２４に静電潜像が形成される。この静電潜像が現像器３２によって現像されて像保持体２４にトナー画像が形成される。このトナー画像が、転写ロール３４によって、転写位置Ｔに搬送されてきたシート部材Ｐに転写される。
【００４３】
トナー画像が転写されたシート部材Ｐは定着部１８へ搬送される。そして、シート部材Ｐに転写されたトナー画像は定着部１８によってシート部材Ｐに定着される。その後、シート部材Ｐは、排出部２２へ排出される。
【００４４】
（要部構成）
次に、現像器３２、及びトナーカートリッジ３６について説明する。
【００４５】
〔現像器〕
現像器３２は、図１１に示されるように、内部に現像剤Ｇを収容している筐体４０と、像保持体２４と対向して配置されている現像ロール４２と、現像ロール４２に現像剤Ｇを供給する供給オーガ４４と、現像剤Ｇを撹拌する撹拌オーガ４６とを備えている。さらに現像器３２は、トナーＴを筐体４０内に補給するための磁性ロール５０を備えている。筐体４０は、収容部の一例である。
【００４６】
なお、現像剤Ｇは、トナーＴと磁性キャリア粒子（以下「キャリア」）とを主要成分として構成されている二成分現像剤である。
【００４７】
<筐体〉
筐体４０は、像保持体２４の隣に配置されており、筐体４０において、像保持体２４を臨む部分には、筐体４０の内部を開放する開口部４０Ａが装置奥行方向に延びて形成されている。
【００４８】
また、筐体４０の内部において、開口部４０Ａを挟んで像保持体２４の反対側には、現像ロール４２が配置されている受渡路４０Ｂが装置奥行方向に延びて形成されている。さらに、筐体４０の内部において、受渡路４０Ｂに対して開口部４０Ａの反対側で、かつ、受渡路４０Ｂの斜め下方には、供給オーガ４４が配置されている供給路４０Ｃが装置奥行方向に延びて形成されている。
【００４９】
また、筐体４０の内部において、供給路４０Ｃに対して受渡路４０Ｂの反対側で、かつ、供給路４０Ｃの斜め上方には、撹拌オーガ４６が配置されている撹拌路４０Ｄが装置奥行方向に延びて形成されている。さらに、筐体４０において、供給路４０Ｃと撹拌路４０Ｄとの間には、供給路４０Ｃと撹拌路４０Ｄとを仕切る仕切壁４０Ｅが形成されている。
【００５０】
また、筐体４０において、装置奥行方向の手前側の部分で、かつ、撹拌路４０Ｄを挟んで供給路４０Ｃの反対側には、図７、図１１に示されるように、磁性ロール５０が配置されている補給路４０Ｆが形成されている。さらに、筐体４０において、補給路４０Ｆの上方には、図１１に示されるように、筐体４０の内部に補給されるトナーＴが通過する通過路４０Ｇ（ディスペンサー領域）が上下方向に延びて形成されている。そして、補給路４０Ｆにおいて、通過路４０Ｇ側が、トナーＴが通過路４０Ｇから筐体４０の内部に補給される補給口７０とされている。
【００５１】
−供給路・撹拌路・仕切壁−
供給路４０Ｃ、及び撹拌路４０Ｄは、断面円弧状の壁面によって形成されている。さらに、仕切壁４０Ｅは、装置奥行方向の奥側の部分、及び装置奥行方向の手前側の部分を除いて、供給路４０Ｃと撹拌路４０Ｄとを仕切っている。そして、供給路４０Ｃの装置奥行方向の奥側の部分、及び装置奥行方向の手前側の部分に、供給路４０Ｃと撹拌路４０Ｄとを繋ぐ図示せぬ中継路が形成されている。
【００５２】
−補給路・通過路−
補給路４０Ｆは、断面円弧状の壁面によって形成されている。図７に示されるように、補給路４０Ｆは、装置奥行方向に亘って撹拌路４０Ｄと繋がっている。また、通過路４０Ｇは、図５に示されるように、上方向から見て、装置奥行方向に延びる矩形状とされている。さらに、通過路４０Ｇの装置奥行方向の寸法は、補給路４０Ｆの装置奥行方向の寸法と比して小さくされている（図６参照）。また、通過路４０Ｇの装置幅方向の寸法は、補給路４０Ｆの装置幅方向の寸法と比して小さくされている（図１１参照）。
【００５３】
ここで、通過路４０Ｇを形成する壁について説明する。
【００５４】
通過路４０Ｇは、図５、図６に示されるように、装置幅方向に対向した一対の壁８０、８２と、装置奥行方向に対向した一対の壁８４、８６とによって囲まれている。具体的には、壁８２は、図１０に示されるように、水平方向において、壁８０と比して撹拌路４０Ｄ側に配置されている。壁８２は、一方の壁の一例であって、壁８０は、他方の壁の一例である。
【００５５】
そして、壁８０、壁８４、及び壁８６は、図５に示されるように、一体的に形成されており、壁８４の一方の縁部と、壁８６の一方の縁部との間に壁８０が形成されている。また、壁８４の他方の縁部と、壁８６の他方の縁部との間には、壁８２と比して壁８０から離れた位置に配置されている壁８８が形成されている。つまり、壁８８に対して壁８０側に、壁８２が配置されている。換言すれば、二層とされた壁８８と壁８２の内、壁８０に近接している壁８２によって、通過路４０Ｇの装置幅方向側が形成されている。
【００５６】
次に、壁８２が形成されている揺動部材９０について説明する。
【００５７】
揺動部材９０は、図５、図１０に示されるように、上方から見て、壁８０側が開放されたＵ字状とされている。そして、揺動部材９０は、装置奥行方向に対向した一対の側板９２、９４と、側板９２、９４を連結すると共に板面が装置幅方向を向いた連結板９６とを有している。また、側板９２は、壁８４に沿って配置されており、側板９４は、壁８６に沿って配置されている。さらに、連結板９６は、壁８８に対して隙間を空けて配置されており、連結板９６において、壁８０側の板面が壁８２とされている。
【００５８】
また、側板９２において、壁８４側の板面には、装置奥行方向に延びる円柱状の揺動軸９２Ａが形成されており、側板９４において、壁８６側の板面には、装置奥行方向に延びると共に揺動軸９２Ａと同様の軸線上に円柱状の揺動軸９４Ａが形成されている。そして、壁８４には、揺動軸９２Ａが挿入される凹部８４Ａが形成されており、壁８６には、揺動軸９４Ａが挿入される凹部８６Ａが形成されている。これにより、揺動部材９０は、揺動軸９２Ａ、９４Ａを中心に、揺動（回転移動）するようになっている。
【００５９】
また、側板９２、９４の下端で、かつ、連結板９６に対して反対側の部分には、図４、図１０に示されるように、壁８０側に突出した規制部９２Ｂ、９４Ｂが夫々形成されている。この規制部９２Ｂ、９４Ｂが壁８０と当たることで、揺動部材９０の位置が規制されるようになっている（詳細は後述）。
【００６０】
また、図４に示されるように、側板９４において、揺動軸９４Ａが形成されている板面には、装置奥行方向に突出している、クランク状のクランク部９８が形成されている。具体的には、クランク部９８の基端が側板９４に固定されている。さらに、クランク部９８の先端部分には、上下方向に延びるバー９８Ａが形成されている。このバー９８Ａが後述する突起６４Ｂに押されることで、揺動部材９０が揺動するようになっている（詳細は後述）。
【００６１】
ここで、揺動部材９０が揺動軸９２Ａ、９４Ａを中心に一方向に揺動するように、揺動部材９０（壁８２）を付勢する付勢バネ７２について説明する。付勢バネ７２は、付勢部材の一例である。
【００６２】
図８、図１０に示されるように、付勢バネ７２は、針金状の部材を折り曲げることで形成されており、装置幅方向から見て、装置奥行方向に対称形状とされている。
【００６３】
付勢バネ７２の両端部７４は、装置奥行方向に延びて筐体４０に固定されている（図示省略）。両端部７４の間の中間部７６は、連結板９６と壁８８との間の隙間に配置されている。そして、中間部７６には、連結板９６の背面において、揺動軸９２Ａ、９４Ａに対して下方側の部分に接触すると共に装置奥行方向に延びる接触部７６Ａが形成されている。
【００６４】
この構成において、接触部７６Ａで連結板９６と接触する付勢バネ７２が連結板９６を壁８０側へ押すことで、揺動部材９０は、揺動軸９２Ａ、９４Ａを中心に一方向に揺動するように付勢される。そして、図１０に示されるように、揺動部材９０の規制部９２Ｂ、９４Ｂが、壁８０と当たることで、揺動部材９０の位置が規制される。
【００６５】
<現像ロール〉
現像ロール４２は、軸方向を装置奥行方向として、図１１に示されるように、受渡路４０Ｂに配置されている。また、現像ロール４２と像保持体２４との間には、現像ロール４２から像保持体２４に現像剤Ｇを受け渡すための間隙（現像ギャップ）が形成されている。
【００６６】
そして、現像ロール４２は、断面円状のマグネットロール４２Ａと、マグネットロール４２Ａに被せられ、マグネットロール４２Ａの周りを回転するスリーブ４２Ｂとを備えている。このスリーブ４２Ｂは、駆動源５２（図１２参照）から回転力が伝達されて、図中矢印Ｃ方向（時計方向）に回転するようになっている。
【００６７】
この構成において、回転するスリーブ４２Ｂの表面には、マグネットロール４２Ａの磁力によって、現像剤Ｇの磁気ブラシが形成される。そして、回転するスリーブ４２Ｂは、磁気ブラシとされた現像剤Ｇを搬送する。さらに、像保持体２４と対向する位置まで搬送された現像剤Ｇに含まれるトナーＴが像保持体２４に付着し、静電潜像がトナー画像として可視化される。
【００６８】
<供給オーガ〉
供給オーガ４４は、軸方向を装置奥行方向として、前述したように、供給路４０Ｃに配置されている。そして、供給オーガ４４は、装置奥行方向に延びている供給軸４４Ａと、供給軸４４Ａの周面に形成されている、螺旋状の供給羽根４４Ｂとを含んで形成されている。また、この供給オーガ４４は、駆動源５２（図１２参照）から回転力が伝達されて回転するようになっている。
【００６９】
この構成において、回転する供給オーガ４４は、装置奥行方向の一方側に現像剤Ｇを撹拌しながら搬送し、搬送している現像剤Ｇを現像ロール４２に供給する。
【００７０】
<撹拌オーガ〉
撹拌オーガ４６は、軸方向を装置奥行方向として、前述したように、撹拌路４０Ｄに配置されている。そして、撹拌オーガ４６は、装置奥行方向に延びている撹拌軸４６Ａと、撹拌軸４６Ａの周面に形成されている、螺旋状の撹拌羽根４６Ｂとを含んで形成されている。また、この撹拌オーガ４６は、駆動源５２（図１２参照）から回転力が伝達されて回転するようになっている。
【００７１】
この構成において、回転する撹拌オーガ４６は、装置奥行方向の他方側に現像剤Ｇを撹拌しながら搬送し、装置奥行方向の手前側及び奥行側の中継路を通して、供給オーガ４４との間で、現像剤Ｇを受け取り、受け渡す。これによって、回転する供給オーガ４４、及び撹拌オーガ４６は、供給路４０Ｃと撹拌路４０Ｄとの間で現像剤Ｇを循環させる。
【００７２】
<磁性ロール５０〉
磁性ロール５０は、軸方向を装置奥行方向として、補給口７０の下方で、かつ、補給路４０Ｆに配置されている。また、磁性ロール５０の外径寸法は、補給口７０の装置幅方向の寸法と比して大きくされている。さらに、磁性ロール５０の下方側の少なくとも一部が、筐体４０の内部に収容されている現像剤Ｇの剤面Ｓに比して下方に位置している。
【００７３】
そして、磁性ロール５０は、図１０に示されるように、断面円状のマグネットロール５０Ａと、マグネットロール５０Ａに被せられ、マグネットロール５０Ａの周りを回転するスリーブ５０Ｂとを備えている。このスリーブ５０Ｂは、駆動源５２（図１２参照）から回転力が伝達されて、図中矢印Ｍ方向（時計方向）に回転するようになっている。スリーブ５０Ｂは、搬送体の一例であり、かつ、第一搬送体の一例である。
【００７４】
また、磁性ロール５０において補給口７０と対向する部分を挟んで、スリーブ５０Ｂの回転方向（以下「スリーブ回転方向」）の上流側には、円弧状の第一通路５４が形成され、下流側には、円弧状の第二通路５６が形成されている。具体的には、第一通路５４は、筐体４０の壁面５４Ａと、スリーブ５０Ｂとの間に形成されており、第二通路５６は、筐体４０の壁面５６Ａと、スリーブ５０Ｂとの間に形成されている。第二通路５６は、通路の一例であり、かつ、通過出口の一例である。
【００７５】
本実施形態では、第一通路５４の通路幅（図中Ｋ寸法）は、第二通路５６の通路幅（図中Ｆ寸法）と比して大きくされている。
【００７６】
また、前述した通過路４０Ｇを形成する壁８２は、装置幅方向において、スリーブ５０Ｂの回転中心Ｃに対して第二通路５６側に配置されている。さらに、通過路４０Ｇを形成する壁８０は、装置幅方向において、スリーブ５０Ｂの回転中心Ｃに対して第二通路５６側とは反対側（第一通路５４側）に配置されている。
【００７７】
−マグネットロール５０Ａ−
【００７８】
マグネットロール５０Ａは、装置奥行方向に延びる円柱状とされており、軸方向に延びた軸部５８（図６参照）で筐体４０に固定されている。
【００７９】
このマグネットロール５０Ａにおいて、第一通路５４と対向する部分には、磁極Ｇ１（ピックアップ極）が配置されている。磁極Ｇ１は、現像剤Ｇの剤面Ｓの高さが予め決められた閾値高さＨ以上の場合に、閾値高さＨ以上に存在する現像剤Ｇをその重力に対抗して吸引して現像剤Ｇをスリーブ５０Ｂの本体部６０の周面６２（詳細は後述する）に吸着させるようになっている。
【００８０】
さらに、マグネットロール５０Ａにおいて、補給口７０と対向する部分には、磁極Ｇ２（搬送極）が配置されている。磁極Ｇ２は、磁極Ｇ１とは逆極性の磁極とされている。このため、磁極Ｇ１から磁極Ｇ２へ向かう磁力線の束（磁場）が形成される。この磁場によって、スリーブ５０Ｂの本体部６０の周面６２に吸着した現像剤Ｇが保持されるようになっている。
【００８１】
また、マグネットロール５０Ａにおいて、スリーブ５０Ｂの回転中心Ｃに対して磁極Ｇ１の反対側には、磁極Ｇ３（剥離極）が配置されている。磁極Ｇ３は、磁極Ｇ１と同極性の磁極とされている。このため、磁極Ｇ１と磁極Ｇ３との間には、反発し合う磁力線の束（磁場）が形成される。この磁場により、スリーブ５０Ｂの本体部６０の周面６２に吸着した現像剤Ｇが、スリーブ５０Ｂから剥離するようになっている。
【００８２】
なお、本実施形態では、磁極Ｇ１及び磁極Ｇ３が、Ｎ極とされており、磁極Ｇ２が、Ｓ極とされている。
【００８３】
−スリーブ５０Ｂ−
スリーブ５０Ｂは、図９に示されるように、装置奥行方向に延び、装置奥行方向の手前側（図中左側）の部分が有底とされた円筒状の本体部６０と、本体部６０の装置奥行方向の手前側から装置奥行方向に延びる軸部６８とを有している。さらに、スリーブ５０Ｂは、本体部６０の装置奥行方向の奥側（図中右側）を閉止する閉止蓋６４を有している。
【００８４】
軸部６８は、スリーブ５０Ｂの回転軸を構成しており、駆動源（図１２参照）から軸部６８に回転力が伝達されることで、図中矢印Ｍ方向に、スリーブ５０Ｂが回転するようになっている。
【００８５】
本体部６０は、軸部６８と比して大径化されており、本体部６０の周面６２には、装置奥行方向に延びる断面台形状の溝６２Ａが複数形成されている。そして、溝６２Ａは、周面６２の装置奥行方向の一端部分から他端部分まで延びており、本体部６０の周方向に同様の間隔（ピッチ）で配置されている。この溝６２Ａが本体部６０の周面６２に形成されることで、回転する本体部６０の周面６２と、本体部６０の周面６２に保持されている現像剤Ｇとの間に生じるスリーブ回転方向の摩擦力が大きくなるようになっている。
【００８６】
閉止蓋６４は、円盤状の基体部６４Ａと、基体部６４Ａから突出する４個の突起６４Ｂとを有している。基体部６４Ａは、本体部６０の装置奥行方向の奥側（図中右側）を閉止するように配置されており、基体部６４Ａの外径は、本体部６０の外径と同様とされている。さらに、基体部６４Ａの中心には、貫通孔６６が形成されており、マグネットロール５０Ａの軸部５８がこの貫通孔６６を貫通している（図６参照）。
【００８７】
突起６４Ｂは、基体部６４Ａにおいて本体部６０側とは反対側の面に４個形成されており、基体部６４Ａの周方向に板面が向いた板状の部材である。そして、夫々の突起６４Ｂは、基体部６４Ａの周方向に同様の間隔で配置されている。さらに、図８に示されるように、スリーブ５０Ｂが矢印Ｍ方向に回転することで、夫々の突起６４Ｂが、揺動部材９０に形成されたクランク部９８のバー９８Ａを間欠的に押すようになっている。
【００８８】
この構成において、駆動源（図１２参照）から軸部６８に回転力が伝達されることで、前述したように、図中矢印Ｍ方向に、スリーブ５０Ｂが回転する。そして、回転する突起６４Ｂが、揺動部材９０に形成されたクランク部９８のバー９８Ａを間欠的に押す。バー９８Ａが突起６４Ｂに間欠的に押されることで、揺動部材９０は、揺動軸９２Ａ、９４Ａを中心に他方向（付勢バネ７２によって付勢されている方向と逆方向）に揺動する。
【００８９】
以下、揺動部材９０の揺動について具体的に説明する。
【００９０】
図１（Ａ）に示されるように、矢印Ｍ方向に回転するスリーブ５０Ｂの突起６４Ｂが揺動部材９０のバー９８Ａを押していない状態では、揺動部材９０は、付勢バネ７２の付勢力によって、図中矢印Ｒ１（一方向の一例）方向に揺動するように付勢されている。そして、揺動部材９０の規制部９２Ｂ、９４Ｂが、壁８０と当たることで、揺動部材９０の位置が規制されている。この状態で、揺動部材９０に形成された壁８２は、装置幅方向を向いて、上下方向に沿っている。
【００９１】
さらに、スリーブ５０Ｂが矢印Ｍ方向に回転して、スリーブ５０Ｂの突起６４Ｂが揺動部材９０のバー９８Ａを押すと、図１（Ｂ）に示されるように、揺動部材９０が図中矢印Ｒ２方向（他方向の一例）に揺動する。これによって、壁８２も揺動し、壁８２において、揺動軸９２Ａ、９４Ａに比して上方側の部分（一部の一例）は、壁８０に接近する。これに対して、壁８２において、揺動軸９２Ａ、９４Ａに比して下方側の部分（他の一部の一例）は、壁８０から離間する。
【００９２】
さらに、スリーブ５０Ｂが矢印Ｍ方向に回転して、バー９８Ａを押していた突起６４Ｂがバー９８Ａから離間すると、図１（Ｃ）に示されるように、付勢バネ７２の付勢力によって、揺動部材９０が図中矢印Ｒ１方向（一方向の一例）に揺動する。そして、揺動部材９０の規制部９２Ｂ、９４Ｂが、壁８０と当たることで、揺動部材９０の位置が規制されている。これによって、壁８２も揺動し、壁８２において、揺動軸９２Ａ、９４Ａに比して上方側の部分は、壁８０から離間する。これに対して、壁８２において、揺動軸９２Ａ、９４Ａに比して下方側の部分は、壁８０に接近する。このように、スリーブ５０Ｂが矢印Ｍ方向に回転することで、揺動部材９０は周期的に揺動（振動）する。
【００９３】
以上説明したように、バー９８Ａが形成されたクランク部９８、付勢バネ７２、及び突起６４Ｂを含んで、壁８２を壁８０に対して接近、離間させる接離部１００が構成されている。なお、本実施形態では、スリーブ５０Ｂは、１秒間に３回転する。つまり、バー９８Ａは、突起６４Ｂによって１秒間に１２回押される。
【００９４】
〔トナーカートリッジ〕
【００９５】
トナーカートリッジ３６は、図１２に示されるように、円筒状とされている本体部３８と、本体部３８の内部に配置される図示せぬ搬送部材とを備えている。そして、本体部３８は、装置奥行方向に延びており、本体部３８の内部には、現像器３２の筐体４０の内部へ補給されるトナーＴが収容されている。また、本体部３８の周面（内周面）の一部には、図１０に示されるように、前述した通過路４０Ｇの上端を構成している受入口７８が形成されている。トナーカートリッジ３６は、第二搬送体の一例である。
【００９６】
そして、この受入口７８を形成する壁において、壁８２と同様の方向を向く受入壁７８Ａは、装置幅方向において、壁８２と比して壁８０側に配置されている。換言すれば、上方から見て、受入壁７８Ａは、壁８２と比して壁８０側に配置されている。具体的には、図１（Ａ）（Ｂ）（Ｃ）に示されるように、揺動部材９０が揺動している全ての状態において、受入壁７８Ａは、装置幅方向において、壁８２と比して壁８０側に配置されている。受入口７８は、通過入口の一例である。
【００９７】
この構成において、トナーカートリッジ３６に備えられた搬送部材は、駆動源５２（図１２参照）から回転力が伝達されて回転する。さらに、回転する搬送部材は、本体部３８の内部のトナーＴを受入口７８へ向けて搬送する。そして、通過路４０Ｇは、受入口７８を通してトナーカートリッジ３６からトナーＴを受け入れる。
【００９８】
（要部構成の作用）
次に、要部構成の作用について、比較形態に係る現像器１３２と比較しつつ説明する。先ず、比較形態に係る現像器１３２の構成について、本実施形態に係る現像器３２と異なる部分を主に説明する。また、現像器３２と現像器１３２とで同様の作用については、現像器１３２で説明する。
【００９９】
図１５に示されるように、比較形態に係る現像器１３２の通過路１４０Ｇには、揺動部材９０は、設けられていない。また、通過路１４０Ｇを上方から見ると、通過路１４０Ｇは、矩形状とされている（図示省略）。そして、通過路１４０Ｇを形成する各壁（符号省略）の相対位置関係は、変わらない。
【０１００】
画像形成動作が開始されると（ジョブが開始されると）、駆動源５２（図１２参照）が駆動しスリーブ４２Ｂ、供給オーガ４４、撹拌オーガ４６、スリーブ５０Ｂ、及びトナーカートリッジに備えられた搬送部材が回転する。
【０１０１】
トナーＴとキャリアとの間に斥力が生じ、筐体４０に収容されている現像剤Ｇの体積が、現像剤Ｇの実際の補給量（増加量）に比べて大きくなる場合がある。このような場合には、図１４（Ａ）に示されるように、筐体４０の内部おいて、磁性ロール５０の下方側の部分の現像剤Ｇの剤面Ｓの高さが、予め決められた閾値高さＨ以上となる。なお、図１４（Ａ）（Ｂ）（Ｃ）については、現像剤Ｇの移動を容易に分かるように、現像剤Ｇの移動を模式図的に示す。
【０１０２】
そうすると、マグネットロール５０Ａの磁極Ｇ１は、閾値高さＨ以上に存在する現像剤Ｇをその重力に対抗して吸引することで、現像剤Ｇをスリーブ５０Ｂの本体部６０の周面６２に吸着させる。そして、回転するスリーブ５０Ｂの本体部６０の周面６２に吸着した現像剤Ｇは、図１４（Ａ）（Ｂ）に示されるように、第一通路５４を通って補給口７０に向けて搬送される。
【０１０３】
また、前述したように、補給口７０を挟んで第一通路５４の反対側に配置されている第二通路５６の通路幅は、第一通路５４の通路幅と比して狭くされている。このため、第一通路５４を通って補給口７０に向けて搬送された現像剤Ｇの一部は、図１４（Ｂ）（Ｃ）に示されるように、第二通路５６を通ってスリーブ５０Ｂから剥離する。これに対して、第一通路５４を通って補給口７０に向けて搬送された現像剤Ｇの他の一部は、補給口７０に滞留する。このため、トナーＴが通過路１４０Ｇに滞留し、補給口７０から筐体４０の内部へのトナーＴの補給が、停止される。
【０１０４】
ここで、トナーカートリッジ３６に備えられた回転する搬送部材は、本体部３８の内部のトナーＴを受入口７８へ向けて搬送する。そして、通過路１４０Ｇは、受入口７８を通してトナーカートリッジ３６からトナーＴを受け入れる。このため、通過路１４０Ｇ内で滞留しているトナーＴは、通過路１４０Ｇを構成している壁を押す。これによって、通過路１４０Ｇ内で滞留しているトナーＴは、通過路１４０Ｇで固着してしまうことがある。なお、通過路１４０ＧでのトナーＴの固着については、高温高湿の環境下で顕著に現れる。
【０１０５】
一方、画像形成動作によって筐体４０の内部のトナーＴが消費されると、図１３（Ａ）に示されるように、磁性ロール５０の下方側の部分の現像剤Ｇの剤面Ｓの高さが、閾値高さＨ未満となる。なお、図１３（Ａ）（Ｂ）（Ｃ）については、現像剤Ｇの移動を容易に分かるように、現像剤Ｇの移動を模式図的に示す。
【０１０６】
そうすると、マグネットロール５０Ａの磁極Ｇ１の磁力によるスリーブ５０Ｂへの現像剤Ｇの吸着は無くなる。このため、回転するスリーブ５０Ｂによって補給口７０に滞留していた現像剤Ｇが、図１３（Ａ）（Ｂ）に示されるように、第二通路５６を通ってスリーブ５０Ｂから剥離する。
【０１０７】
ここで、通過路１４０Ｇに滞留していたトナーＴは、図１３（Ｃ）に示されるように、通過路１４０Ｇで固着している。この場合、現像剤Ｇの剤面Ｓの高さが、閾値高さＨ未満となっているにも係わらず、補給口７０を通してトナーＴが、筐体４０の内部に補給されない。
【０１０８】
以下、現像器３２において、現像剤Ｇの剤面Ｓの高さが閾値高さＨ以上となって、現像剤Ｇが補給口７０に滞留した場合について説明する。
【０１０９】
現像剤Ｇが補給口７０に滞留すると、図３（Ａ）に示されるように、通過路４０ＧでトナーＴが滞留する。ここで、画像形成動作が開始されると、前述したように、駆動源５２（図１２参照）から伝達された回転力によってスリーブ５０Ｂが回転し続けている。このため、揺動部材９０は、図３（Ａ）（Ｂ）（Ｃ）に示されるように、揺動軸９２Ａ、９４Ａを中心に揺動する。
【０１１０】
具体的には、壁８２において、揺動軸９２Ａ、９４Ａに比して上方側の部分が、壁８０に接近と、壁８２において、揺動軸９２Ａ、９４Ａに比して下方側の部分が、壁８０から離間する（図３（Ａ）（Ｂ）参照）。さらに、壁８２において、揺動軸９２Ａ、９４Ａに比して上方側の部分が、壁８０に離間と、壁８２において、揺動軸９２Ａ、９４Ａに比して下方側の部分が、壁８０から接近する（図３（Ｂ）（Ｃ）参照）。
【０１１１】
このように、揺動部材９０（壁８２）の揺動が繰り返されることで、通過路４０Ｇの内部で壁８２に圧力をかけることで滞留しているトナーＴが崩される。これにより、通過路４０Ｇの内部で滞留しているトナーＴの固着が抑制される。
【０１１２】
そして、現像器３２において、筐体４０の内部の現像剤Ｇの剤面Ｓの高さが閾値高さＨ未満なって補給口７０に滞留していた現像剤Ｇが筐体４０の内部に戻された場合に、図２（Ａ）に示されるように、通過路４０Ｇに滞留していたトナーＴは、重力によって落下する。なお、図２（Ａ）（Ｂ）（Ｃ）については、トナーＴの移動を容易に分かるように、トナーＴの移動を模式図的に示す。
【０１１３】
さらに、重力によって落下したトナーＴは、図２（Ｂ）（Ｃ）に示されるように、回転するスリーブ５０Ｂによって搬送される。そして、回転するスリーブ５０Ｂによって搬送されるトナーＴは、第二通路５６を通って筐体４０の内部に補給される。
【０１１４】
（まとめ）
以上説明したように、現像器３２では、通過路１４０Ｇを構成する壁の相対位置関係が変わらない現像器１３２を用いる場合と比して、トナーが通過路４０Ｇで固着するのが抑制される。
【０１１５】
また、スリーブ５０Ｂの回転力を揺動部材９０（壁８２）に伝達することで、壁８２を壁８０に対して接近、離間させる。このため、専用の駆動源を用いる場合と比して、部品点数が削減される。
【０１１６】
また、壁８２は、装置幅方向において、スリーブ５０Ｂの回転中心Ｃに対して第二通路５６側に配置され、壁８０は、装置幅方向において、スリーブ５０Ｂの回転中心Ｃに対して第二通路５６側とは反対側（第一通路５４側）に配置されている。このため、壁８２が第二通路５６側とは反対側に配置されており、壁８０が第二通路５６側に配置されている場合と比して、通過路４０Ｇに滞留したトナーＴのなかで第二通路５６側のトナーＴが崩される。換言すれば、筐体４０の内部に補給されるトナーＴが通過する第二通路５６側のトナーＴが崩されることで、回転するスリーブ５０Ｂによって搬送されるトナーＴが、第二通路５６で詰まるのが抑制される。
【０１１７】
また、壁８２の一部が壁８０に接近すると、壁８２の他の一部が壁８０から離間するように壁８０が移動する（揺動する）。このため、例えば、壁８２全体が壁８０に接近し、壁８２全体が壁８０から離間する場合と比して、通過路４０Ｇに滞留したトナーＴが、効果的に崩される。
【０１１８】
また、揺動軸９２Ａ、９４Ａを中心に壁８２が一方向及び他方に回転することで、壁８２の一部が壁８０に接近すると、壁８２の他の一部が壁８０から離間する。このため、例えば、壁の一部が壁８０に接近すると、壁の他の一部が壁８０から離間するために、壁を分割する場合と比して、壁８２の一部が壁８０に接近すると、壁８２の他の一部を壁８０から離間させる構成が簡略化される。
【０１１９】
また、付勢バネ７２が、揺動部材９０が一方向に揺動するように揺動部材９０を付勢する。さらに、揺動部材９０が他方向に揺動するように、回転するスリーブ５０Ｂの回転力が間欠的に揺動部材９０に伝達される。このため、回転するスリーブ５０Ｂの回転力だけで揺動部材９０を揺動させる場合と比して、揺動部材９０を揺動させるための構成が簡略化される。
【０１２０】
また、通過路４０Ｇにおいて、トナーＴをトナーカートリッジ３６から受け入れる受入口７８の受入壁７８Ａは、上方から見て、壁８２と比して壁８０側に配置されている。このため、壁８２が、上方から見て、受入壁７８Ａと比して壁８０側に配置されている場合と比して、トナーカートリッジ３６から受入口７８を通して受け入れたトナーＴが、壁８２の裏面に流れ込むのが抑制される。
【０１２１】
また、画像形成装置１０においては、現像器３２を備えていない場合と比して、筐体４０へ補給されるトナーＴが通過路４０Ｇで固着するのが抑制されることで、現像剤Ｇのトナー濃度のばらつきが抑制される。これにより、出力画像の品質低下が抑制される。
【０１２２】
＜第２実施形態＞
本発明の第２実施形態に係る現像器、及び画像形成装置の一例を図１６に従って説明する。なお、第２実施形態については、第１実施形態と異なる部分を主に説明する。
【０１２３】
第２実施形態に係る現像器２３２の揺動部材２９０の連結板２９６に形成された壁２８２は、図１６（Ａ）（Ｂ）に示されるように、装置幅方向から見て、等脚台形形状とされている。さらに、一対の側板２９２、２９４は、互いの距離が上方端に比して下端部が広がるように、装置幅方向から見て、上下方向に対して傾斜している。
【０１２４】
この構成において、揺動する揺動部材２９０の側板２９２、２９４は、通過路４０Ｇの内部のトナーＴを間欠的に下方向に押す。これによって、通過路４０Ｇに滞留したトナーＴが崩される。第２実施形態の他の作用については、第１実施形態の作用と同様である。
【０１２５】
＜第３実施形態＞
本発明の第３実施形態に係る現像器、及び画像形成装置の一例を図１７に従って説明する。なお、第３実施形態については、第１実施形態と異なる部分を主に説明する。
【０１２６】
第３実施形態に係る現像器３３２の揺動部材３９０において連結板３９６、及び一対の側板３９２、３９４は、図１７（Ａ）（Ｂ）に示されるように、上方から見て、等脚台形形状とされている。具体的には、連結板３９６の装置奥行方向の長さが第１実施形態と比して短くなっており、一対の側板３９２、３９４が、上方から見て、装置幅方向に対して傾斜している。
【０１２７】
この構成において、揺動する揺動部材３９０の側板３９２、３９４は、通過路４０Ｇの内部のトナーＴを間欠的に装置幅方向に押す。これによって、通過路４０Ｇに滞留したトナーＴが崩される。第３実施形態の他の作用については、第１実施形態の作用と同様である。
【０１２８】
なお、本発明を特定の実施形態について詳細に説明したが、本発明は係る実施形態に限定されるものではなく、本発明の範囲内にて他の種々の実施形態をとることが可能であることは当業者にとって明らかである。例えば、上記実施形態では、回転する磁性ロール５０が、閾値高さＨ以上の現像剤Ｇを搬送して補給口７０に滞留させることで、トナーＴの補給を停止させたが、余剰の現像剤Ｇを補給口７０に滞留させることでトナーＴの補給を停止させる構成であればよく、磁性ロールを用いない構成であってもよい。
【０１２９】
また、上記実施形態では、補給路４０Ｆ及び通過路４０Ｇが、撹拌路４０Ｄの装置奥行方向の手前側の部分に配置されたが、撹拌路４０Ｄの装置奥行方向の奥側に配置されてもよく、中央側に配置されてもよい。
【０１３０】
また、上記実施形態では、付勢部材として、線バネである付勢バネ７２を用いたが、付勢部材として例えば、コイルバネ等を用いてもよい。
【０１３１】
また、上記実施形態では、付勢バネ７２の付勢力と、スリーブ５０Ｂの回転力とのよって、揺動部材９０を揺動させたが、例えば、既知のクランク機構を用いることで、スリーブ５０Ｂの回転力だけで、揺動部材を揺動させてもよい。この場合には、付勢バネ７２の付勢力と、スリーブ５０Ｂの回転力とのよって、揺動部材９０を揺動させることで奏する作用は、奏しない。
【０１３２】
また、上記実施形態では、壁８２の一部が壁８０に接近すると、壁８２の他の一部が壁８０から離間したが、壁８２全体が壁８０に接近し、壁８２全体が壁８０から離間する構成であってもよい。しかし、この場合には、壁８２の一部が壁８０に接近すると、壁８２の他の一部が壁８０から離間することで奏する作用は、奏しない。
【０１３３】
また、上記実施形態では、壁８２は、装置奥行方向から見て、スリーブ５０Ｂの回転中心Ｃに対して第二通路５６側に配置され、壁８０は、スリーブ５０Ｂの回転中心Ｃに対して第二通路５６側とは反対側に配置された。しかし、壁８２が第二通路５６側とは反対側に配置され、壁８０が第二通路５６側に配置されてもよい。この場合には、壁８２が第二通路５６側に配置され、壁８０が第二通路５６側とは反対側に配置されることで奏する作用は、奏しない。
【０１３４】
また、上記実施形態では特に説明しなかったが、専用のアクチュエータを用いて揺動部材９０を揺動させてもよい。しかし、この場合には、スリーブ５０Ｂの回転力とのよって、揺動部材９０を揺動させることで奏する作用は、奏しない。
【０１３５】
また、上記実施形態では特に説明しなかったが、通過路４０Ｇを形成する、装置奥行方向に対向する壁を移動させてもよい。
【０１３６】
また、上記実施形態では、揺動部材９０の軸方向は、水平方向であったが、例えば、上下方向であってもよい。
【０１３７】
また、上記実施形態では、特に説明しなかったが、トナーカートリッジ３６、受入口７８、通過路４０Ｇ、接離部１００、スリーブ５０Ｂ、及び第二通路５６を含んでトナー搬送機構２００（図１０参照）が構成されている。
【０１３８】
また、上記実施形態では、特に説明しなかったが、トナーカートリッジ３６による単位時間当たりのトナーの搬送能力が、スリーブによる単位時間当たりのトナーの搬送能力と比して大きくてもよい。
【０１３９】
また、上記実施形態では、特に説明しなかったが、トナーカートリッジ３６及びスリーブＢが回転している状態で、受入口７８での単位時間当たりのトナー通過量が、第二通路５６での単位時間当たりのトナー通過量よりも大きくてもよい。
【０１４０】
また、上記実施形態では、特に説明しなかったが、受入口７８においてトナーが通過する断面積が、第二通路５６においてトナーが通過する断面積よりも大きくてもよい。
【０１４１】
また、上記実施形態では、トナー搬送機構２００を、現像器３２に用いたが、例えば、他の粉体を搬送するために、他の構成に用いてもよい。
【符号の説明】
【０１４２】
１０      画像形成装置
２４      像保持体
３２      現像器
３４      転写ロール（転写体の一例）
３６      トナーカートリッジ（第二搬送体の一例）
４０      筐体（収容部の一例）
４０Ｇ    通過路
５０Ｂ    スリーブ（搬送体の一例、第一搬送体の一例）
５６      第二通路（通路の一例、通過出口の一例）
７０      補給口
７２       付勢バネ（付勢部材の一例）
７８      受入口（通過入口の一例）
７８Ａ    受入壁
８０      壁（他方の壁の一例）
８２      壁（一方の壁の一例）
９２Ａ    揺動軸
９４Ａ    揺動軸
１００    接離部
２００    トナー搬送機構
２３２    現像器
３３２    現像器
【図１】
2019045821.tif 000003
【図２】
2019045821.tif 000004
【図３】
2019045821.tif 000005
【図４】
2019045821.tif 000006
【図５】
2019045821.tif 000007
【図６】
2019045821.tif 000008
【図７】
2019045821.tif 000009
【図８】
2019045821.tif 000010
【図９】
2019045821.tif 000011
【図１０】
2019045821.tif 000012
【図１１】
2019045821.tif 000013
【図１２】
2019045821.tif 000014
【図１３】
2019045821.tif 000015
【図１４】
2019045821.tif 000016
【図１５】
2019045821.tif 000017
【図１６】
2019045821.tif 000018
【図１７】
2019045821.tif 000019